(57)【要約】【課題】前後両面から引き出される引出しの引出し量を容易に調整することができるとともに、レイアウト変更時における両面引出しまたは片面引出しの使用形態に柔軟に対応することができるようした両面引出しキャビネットを提供する。【解決手段】引出し収容空間７を形成する側板５の内面に、互いに前後に対向する前部ストッパー２１と後部ストッパー２３とを、左右方向の内方に向けて突出しうるように設けるとともに、引出し本体８の下面に突設した当接部材１９を、前部ストッパー２１と後部ストッパー２３との間に配置して、引出し本体８の引出し時に、当接部材１９の前面１９ａを、前部ストッパー２１に当接させることにより、引出し本体８の前方への引出し量を規制し、かつ当接部材１９の後面１９ｂを、後部ストッパー２３に当接させることにより、引出し本体８の後方への引出し量を規制するようにする。【選択図】    図３
2008228896.tif 000002
【特許請求の範囲】
【請求項１】
筐体内に前後に連通して設けられた引出し収容空間に、前後両方向に向かってそれぞれ引出し可能とする引出し本体を収容した両面引出しキャビネットにおいて、
引出し収容空間を形成する側板の内面に、互いに前後に対向する前部ストッパーと後部ストッパーとを、左右方向の内方に向けて突出するように設けるとともに、引出し本体の下面に突設した当接部材を、前部ストッパーと後部ストッパーとの間に配置して、引出し本体の引出し時に、当接部材の前面を、前部ストッパーに当接させることにより、引出し本体の前方への引出し量を規制し、かつ当接部材の後面を、後部ストッパーに当接させることにより、引出し本体の後方への引出し量を規制するようにしたことを特徴とする両面引出しキャビネット。
【請求項２】
前後のストッパーの位置を前後方向に変更することによって、引出し本体の引出し量を調整し、キャビネットの使用形態を変更可能にした請求項１記載の両面引出しキャビネット。
【請求項３】
筐体の引出し収容空間から、引出し本体が後方へ突出しない位置に後部ストッパーを設定することによって、キャビネットを片面使用形態に変更可能にした請求項１または２記載の両面引出しキャビネット。
【請求項４】
筐体の後面に、引出し収容空間の後面開口部を閉塞する背面板を着脱可能に取り付けた請求項３記載の両面引出しキャビネット。
【請求項５】
当接部材を、引出し本体の下面における前後方向のほぼ中央で、かつ左右方向の両端部にそれぞれ突設した請求項１〜４のいずれかに記載の両面引出しキャビネット。
【発明の詳細な説明】
【技術分野】
【０００１】
本発明は、オフィス等の執務空間や、店舗等における商業空間にて使用される、前後両面から使用可能な両面引出しキャビネットに関する。
【背景技術】
【０００２】
従来の両面引出しキャビネットにおいて、筐体の前面および後面から引出し本体を引き出せるようにして、作業効率を向上させたものは公知である（例えば、特許文献１〜３参照）。
【０００３】
しかし、特許文献１〜３記載のものは、いずれも筐体が両面引出し専用の構造となっているため、レイアウト変更等に伴うキャビネットの使用形態の変更に柔軟に対応することができない。
そのため、筐体を、両面用と片面用とに別途に製造する必要があり、製品や部品の在庫管理が面倒であるばかりでなく、製作に手間が掛かり、コスト高になるという問題があった。
【特許文献１】特開平０９−０５６５０８号公報
【特許文献２】特開平０６−３３９４１３号公報
【特許文献３】特開２００７−００７２７０号公報
【発明の開示】
【発明が解決しようとする課題】
【０００４】
本発明は、前記の現状に鑑み、筐体の前後両面から引き出される引出しの引出し量を容易に調整することができるとともに、レイアウト変更等に伴うキャビネットの両面引出しまたは片面引出しの使用形態に、柔軟に対応することができるようした両面引出しキャビネットを提供することを目的とする。
【課題を解決するための手段】
【０００５】
上記課題は、「特許請求の範囲」の欄における各請求項に記載するように、次のような構成からなる発明によって解決される。
（１）筐体内に前後に連通して設けられた引出し収容空間に、前後両方向に向かってそれぞれ引出し可能とする引出し本体を収容した両面引出しキャビネットにおいて、引出し収容空間を形成する側板の内面に、互いに前後に対向する前部ストッパーと後部ストッパーとを、左右方向の内方に向けて突出しうるように設けるとともに、引出し本体の下面に突設した当接部材を、前部ストッパーと後部ストッパーとの間に配置して、引出し本体の引出し時に、当接部材の前面を、前部ストッパーに当接させることにより、引出し本体の前方への引出し量を規制するとともに、前記当接部材の後面を、後部ストッパーに当接させることにより、引出し本体の後方への引出し量を規制するようにする。
【０００６】
（２）上記（１）項において、前後のストッパーの位置を前後方向に変更することによって、引出し本体の引出し量を調整し、キャビネットの使用形態を変更可能にする。
【０００７】
（３）上記（１）項または（２）項において、筐体の引出し収容空間から、引出し本体が後方へ突出しない位置に後部ストッパーを設定することによって、キャビネットを片面使用形態に変更可能にする。
【０００８】
（４）上記（３）項において、筐体の後面に、引出し収容空間の後面開口部を閉塞する背面板を着脱可能に取り付ける。
【０００９】
（５）上記（１）〜（４）項のいずれかにおいて、当接部材を、引出し本体の下面における前後方向のほぼ中央で、かつ左右方向の両端部にそれぞれ突設する。
【発明の効果】
【００１０】
本発明によると、次のような効果が奏せられる。
請求項１記載の発明によれば、引出し収容空間を形成する側板の内面に、互いに前後に対向する前部ストッパーと後部ストッパーとを、左右方向の内方に向けて突出するように設けるとともに、引出し本体の下面に突設した当接部材を、前部ストッパーと後部ストッパーとの間に配置して、引出し本体の引出し時に、当接部材の前面を、前部ストッパーに当接させることにより、引出し本体の前方への引出し量を規制し、かつ当接部材の後面を、後部ストッパーに当接させることにより、引出し本体の後方への引出し量を規制するようにしてあるため、前部ストッパーと後部ストッパーとの位置を前後に調整することにより、筐体の前後両面から引き出される引出し本体の引出し量を容易に調整することができる。
また、前部または後部ストッパーによって、引出し本体の後方または前方への引出しを規制すれば、両面引出し用または片面引出し用に、キャビネットの使用形態を容易に変更することができるため、レイアウト変更等に伴うユーザの要望に応じた使用形態に柔軟に対応することができる。
【００１１】
請求項２記載の発明によれば、前後のストッパーの位置を、単に前後方向に変更するだけで、引出し本体の引出し量を調整して、要望に応じた使用形態に柔軟に対応することができる。
【００１２】
請求項３記載の発明によれば、筐体の引出し収容空間から、引出し本体が後方へ突出しない位置に後部ストッパーを設定するだけで、キャビネットを片面使用形態に変更可能であるため、要望に応じた使用形態に柔軟に対応することができる。
【００１３】
請求項４記載の発明によれば、筐体の後面に、引出し収容空間の後面開口部を閉塞する背面板を着脱可能に取り付けてあるため、片面使用形態において、体裁良く収めることができる。
【００１４】
請求項５記載の発明によれば、当接部材を、引出し本体の下面における前後方向のほぼ中央で、かつ左右方向の両端部にそれぞれ突設してあるため、引出し本体の中央部における筐体の引出し収容空間を狭めることがなく、使い勝手を良好にすることができる。
【発明を実施するための最良の形態】
【００１５】
以下、本発明の実施形態を、図面に基づいて詳細に説明する。図１は、本発明の第１実施形態における両面引出しキャビネットの斜視図、図２は、引出し機構の要部拡大分解斜視図、図３は、同じく、引出し機構の要部拡大縦断面図、図４は、筐体からの引出し本体の引出し動作状態を示し、（ａ）は、筐体内への引出し本体の収容状態、（ｂ）は、筐体前面からの引出し本体の引出し状態、（ｃ）は、筐体後面からの引出し本体の引出し状態を、それぞれ示す図である。
【００１６】
なお、以下の説明では、図１における右下から左上に至る方向を「前後方向」とし、左下から右上に至る方向を「左右方向」として説明する。
【００１７】
図１に示すように、本発明の両面引出しキャビネット１の筐体２は、天板３と、底板４と、左右両側板５、５とにより構成されている。
筐体２内の下半部には、複数のボックス型収容引出し６が設けられている。
【００１８】
筐体２内の上半部には、前後に連通して開口する引出し収容空間７が形成されており、この引出し収容空間７には、左右両側板５、５間に支持された、例えば設計図面等の大型の用紙が収容可能な薄型の引出し本体８が、上下に複数段に亘って、かつ前後方向に引出し可能に収容されている。
【００１９】
引出し本体８は、図２および図３に示すように、底板９の前後両端縁にそれぞれ立上げ形成した前面板１０と後面板１１を備えているとともに、前記底板９の左右両側面には、断面外向コ字形のガイドレール１２がそれぞれ取り付けられている。
【００２０】
前記引出し収容空間７における側板５の内側面には、前後方向に延びるガイドプレート１３が配設されている。このガイドプレート１３は、前後方向に適宜の間隔をもって穿設した複数の孔１４に挿通した段付きボルト１５により取り付けられている。
【００２１】
各段付きボルト１５には、転動ローラ１６がワッシャ１７を介して挿入され、各転動ローラ１６をガイドプレート１３に取り付けうるようになっている。これら各転動ローラ１６は、前記引出し本体８における底板９の側面に取り付けたガイドレール１２内を転動しうるように組み付けられて、引出し本体８を、筐体２の前後から引出し可能になっている。
【００２２】
ガイドプレート１３の内側面には、ガイドレール１２の上部外側端縁に立上げ形成した摺動片１２ａが対向され、それらの対向面間には、合成樹脂製の滑り部材１８を介在させて、ガイドレール１２の摺動片１２ａが、ガイドプレート１３の内側面上を容易に摺動しうるようになっている。
【００２３】
引出し本体８の下面には、側面視倒立Ｕ字形の当接部材１９が、ボルト２０を介して、前後方向のほぼ中央で、かつ左右方向の両端部に下向きに突設されている。
【００２４】
筐体２における側板５の内面に取り付けられたガイドプレート１３の下方における前端５ａ近傍には前部ストッパー２１が、同じく後端５ｂ近傍には後部ストッパー２３が、それぞれボルト２２、２４をもって取り付けられている。
【００２５】
前部および後部ストッパー２１、２３は、平面視Ｌ字状をなし、左右方向の内方に向けて突出する屈曲片２１ａ、２３ａが互いに対向するように配設されている。これらの屈曲片２１ａ、２３ａにおける対向面には、ゴム製の緩衝部材２５、２６がそれぞれ取り付けられている。
【００２６】
図４に示すように、引出し本体８の当接部材１９は、前部ストッパー２１と後部ストッパー２３との間に配置されており、図４（ａ）に示す引出し収容状態から、引出し本体８を前方に向けて引き出した際に、図４（ｂ）に示すように、当接部材１９の前面１９ａが、前部ストッパー２１に当接して、引出し本体８の前方への引出し量が規制されるようになっている。
【００２７】
一方、引出し本体８を後方に向けて引き出した際には、図４（ｃ）に示すように、当接部材１９の後面１９ｂが、後部ストッパー２３に当接して、引出し本体８の後方への引出し量が規制されるようになっている。
【００２８】
図５は、前記した引出し本体を前後両面から引出し可能な両面引出しキャビネットを、前面からのみ引出し可能な形態に変更した場合の引出し動作状態を示し、（ａ）は、筐体内への引出し本体の収容状態、（ｂ）は、引出し本体の引出し状態を、それぞれ示す図である。
【００２９】
筐体２７における側板２９内面の前端２９ａに前部ストッパー３０を設けるとともに、後部ストッパー３１を、前後方向の中央部におけるやや後部に設け、かつ引出し本体３２の下面における前後方向の中央に当接部材３３を下向きに突設してある。これにより、引出し本体３２が筐体２７から後方に突出しない位置に、後部ストッパー３１が設定されている。
【００３０】
図５（ａ）に示す引出し収容状態から、引出し本体３２を前方に向けて引き出した際に、図５（ｂ）に示すように、当接部材３３の前面３３ａが、前部ストッパー３０に当接して、引出し本体３２の前方への引出し量が規制される。
【００３１】
一方、図５（ａ）に示す引出し収容状態から、引出し本体３２を前方から後方に向けて押し出そうとした際には、当接部材３３の後面３３ｂが、後部ストッパー３１に当接しているため、引出し本体３２の後方へ向けての押出しが抑止される。
また、図示を省略した平面視Ｌ字状の金具とビスにより、背面板３４が側板２９に着脱可能に取り付けられて、引出し収容空間２８の後面開口部が閉塞されている。
【図面の簡単な説明】
【００３２】
【図１】本発明の第１実施形態における両面引出しキャビネットの斜視図である。
【図２】引出し機構の分解斜視図である。
【図３】引出し機構の要部拡大縦断面図である。
【図４】筐体両面からの引出し本体の引出し動作状態を示し、（ａ）は、筐体内への引出し本体の収容状態、（ｂ）は、筐体前面からの引出し本体の引出し状態、（ｃ）は、筐体後面からの引出し本体の引出し状態を、それぞれ示す図である。
【図５】引出し本体を前面からのみ引出し可能な形態に変更した場合の引出し動作状態を示し、（ａ）は、筐体内への引出し本体の収容状態、（ｂ）は、引出し本体の引出し状態を、それぞれ示す図である。
【符号の説明】
【００３３】
１    両面引出しキャビネット
２    筐体
３    天板
４    底板
５    側板
５ａ  前端
５ｂ  後端
６    ボックス型収容引出し
７    引出し収容空間
８    引出し本体
９    底板
１０  前面板
１１  後面板
１２  ガイドレール
１２ａ  摺動片
１３  ガイドプレート
１４  孔
１５  段付きボルト
１６  転動ローラ
１７  ワッシャ
１８  滑り部材
１９  当接部材
１９ａ  前面
１９ｂ  後面
２０  ボルト
２１  前部ストッパー
２１ａ  屈曲片
２２  ボルト
２３  後部ストッパー
２３ａ  屈曲片
２４  ボルト
２５  緩衝部材
２６  緩衝部材
２７  筐体
２８  引出し収容空間
２９  側板
２９ａ  前端
３０  前部ストッパー
３１  後部ストッパー
３２  引出し本体
３３  当接部材
３３ａ  前面
３３ｂ  後面
３４  背面板
【図１】
2008228896.tif 000003
【図２】
2008228896.tif 000004
【図３】
2008228896.tif 000005
【図４】
2008228896.tif 000006
【図５】
2008228896.tif 000007